(57)【要約】【課題】浴室の美観の低下を抑制しつつ、取り付けを容易に行うことができる浴室用窓接続枠及びその取付方法を提供する。【解決手段】浴室の壁パネルに設けられた開口部と窓サッシとを接続する浴室用窓接続枠であって、開口部に接続される開口部側端部と、窓サッシに接続される窓サッシ側端部と、を有する筒状の枠本体と、開口部側端部に設けられ、開口部側端部から外方に向かって延び、開口部を隠蔽するフランジ部と、を備え、窓サッシは、上下左右のいずれか１つの方向において開口部よりも大きく、枠本体は、１つの方向において開口部側端部よりも外方に拡張された拡張部と、開口部側端部と拡張部との間に設けられ、開口部側端部よりも内方に凹んだ凹部と、を有し、拡張部は窓サッシ側端部の一部を形成し、窓サッシ側端部は、１つの方向において開口部側端部よりも大きいことを特徴とする浴室用窓接続枠である。【選択図】図１
2017160603.tif 000002
【特許請求の範囲】
【請求項１】
浴室の側壁面を構成する壁パネルに設けられた開口部と、建築躯体に取り付けられた窓サッシと、を接続する浴室用窓接続枠であって、
前記開口部に接続される開口部側端部と、前記窓サッシに接続される窓サッシ側端部と、を有する筒状の枠本体と、
前記枠本体の前記開口部側端部に設けられ、前記開口部側端部から外方に向かって延び、前記開口部を隠蔽するフランジ部と、
を備え、
前記窓サッシは、上下左右のいずれか１つの方向において前記開口部よりも大きく、
前記枠本体は、前記１つの方向において前記開口部側端部よりも外方に拡張された拡張部と、前記開口部側端部と前記拡張部との間に設けられ、前記開口部側端部よりも内方に凹んだ凹部と、を有し、
前記拡張部は、前記窓サッシ側端部の一部を形成し、
前記窓サッシ側端部は、前記１つの方向において前記開口部側端部よりも大きいことを特徴とする浴室用窓接続枠。
【請求項２】
前記凹部は、前記拡張部に隣接する隣接面を有し、
前記隣接面と前記拡張部とが接続されたコーナー部の角度は、略直角であることを特徴とする請求項１記載の浴室用窓接続枠。
【請求項３】
浴室の側壁面を構成する壁パネルに設けられた開口部と、建築躯体に取り付けられた窓サッシと、を接続する浴室用窓接続枠の取付方法であって、
前記浴室用窓接続枠は、
前記開口部に接続される開口部側端部と、前記窓サッシに接続される窓サッシ側端部と、を有する筒状の枠本体と、
前記枠本体の前記開口部側端部に設けられ、前記開口部側端部から外方に向かって延び、前記開口部を隠蔽するフランジ部と、
を備え、
前記窓サッシは、上下左右のいずれか１つの方向において前記開口部よりも大きく、
前記枠本体は、前記１つの方向において前記開口部側端部よりも外方に拡張された拡張部と、前記開口部側端部と前記拡張部との間に設けられ、前記開口部側端部よりも内方に凹んだ凹部と、を有し、
前記拡張部は、前記窓サッシ側端部の一部を形成し、
前記窓サッシ側端部は、前記１つの方向において前記開口部側端部よりも大きく、
前記枠本体を傾けた状態で、前記浴室側から前記拡張部のみを前記開口部内に挿入し、
前記凹部を前記開口部の周縁に当接させ、当接させた部分を軸に前記枠本体を回転させることにより、前記窓サッシ側端部の全体を前記開口部内に挿入し、
前記窓サッシ側端部を前記窓サッシに接続し、前記開口部側端部を前記開口部に接続することにより、前記浴室用窓接続枠を前記壁パネル及び前記窓サッシに取り付けることを特徴とする浴室用窓接続枠の取付方法。
【請求項４】
前記凹部は、前記拡張部に隣接する隣接面を有し、
前記隣接面と前記拡張部とが接続されたコーナー部の角度は、略直角であり、
前記コーナー部を前記開口部の周縁に当接させ、前記コーナー部を軸に前記枠本体を回転させることを特徴とする請求項３記載の浴室用窓接続枠の取付方法。
【発明の詳細な説明】
【技術分野】
【０００１】
本発明の態様は、一般的に、浴室用窓接続枠及びその取付方法に関する。
【背景技術】
【０００２】
建築躯体の室内側に壁パネルを建て付けて浴室を形成する際に、建築躯体の窓サッシと壁パネルに設けられた開口部とを筒状の窓接続枠で接続し、この窓接続枠により出窓を形成することが知られている。例えば、特許文献１には、浴室側から窓サッシ側まで同一の大きさの窓接続枠が開示されている。窓接続枠は、開口部側の端部から外方に向かって延びるフランジ部を有し、フランジ部を介して壁パネルに取り付けられるとともに、窓接続枠と壁パネルとの間の隙間をフランジ部によって隠蔽する。このような窓接続枠では、取付後の状態の姿勢のまま窓接続枠を開口部に挿入すればよく、窓接続枠の取付作業を容易に行うことができる。
【０００３】
しかしながら、特許文献１の窓接続枠では、窓サッシと開口部との大きさが略同一の場合にしか取り付けることができない。浴室の施工においては、建築躯体、窓サッシ、及び浴室構造体（壁パネルや天井パネルなど）のそれぞれの寸法関係などから、浴室側の開口部の大きさを窓サッシの大きさよりも小さくせざるを得ない場合がある。例えば、窓サッシの上端が、浴室の天井に近い場合には、壁パネルなどの強度の確保のため、開口部の上端の位置を窓サッシの上端の位置よりも下方に下げる必要が生じる。
【０００４】
窓サッシが、開口部よりも上下左右の一方側のみに大きくなった場合には、例えば、窓接続枠の窓サッシ側の端部を開口部側の端部よりも前記一方側に拡張し、窓サッシ側の端部を開口部側の端部よりも大きくする。これにより、寸法差が生じた場合においても、窓接続枠で窓サッシと開口部とを接続することができる。しかしながら、窓接続枠の窓サッシ側の端部が開口部よりも大きくなると、窓接続枠を開口部に挿入することが難しくなってしまう。
【０００５】
窓サッシ側の端部が開口部よりも大きい場合には、例えば、窓接続枠を傾け、窓サッシ側の端部のうちの拡張された部分のみを先に開口部内に挿入した後、窓接続枠を回転させるようにして、窓サッシ側の端部の全体を開口部内に挿入することが考えられる。
【０００６】
しかしながら、この場合、窓サッシ側の端部の拡張された部分と反対側の部分が、壁パネルの開口部周縁に当接してしまうことが懸念される。例えば、当接によって窓接続枠の回転が完全に阻害された場合には、窓接続枠を取り付けることができなくなってしまう。窓接続枠の回転径に合わせて開口部を予め大き目にしておくことも考えられるが、開口部を隠蔽するためにフランジ部を大きくする必要があり、浴室の美観を損なわせてしまうことが懸念される。さらには、窓接続枠を複数の部品に分け、開口部内に挿入した後に組み立てて窓接続枠を形成することも考えられるが、この場合には、取付作業が煩雑になってしまう。
【０００７】
このため、浴室用窓接続枠においては、窓サッシと壁パネルの開口部とに寸法差が生じた場合においても、浴室の美観の低下を抑制しつつ、取り付けを容易に行えるようにすることが望まれる。
【先行技術文献】
【特許文献】
【０００８】
【特許文献１】実開平６−１６６８４号公報
【発明の概要】
【発明が解決しようとする課題】
【０００９】
本発明は、かかる課題の認識に基づいてなされたものであり、窓サッシと壁パネルの開口部とに寸法差が生じた場合においても、浴室の美観の低下を抑制しつつ、取り付けを容易に行うことができる浴室用窓接続枠及びその取付方法を提供することを目的とする。
【課題を解決するための手段】
【００１０】
第１の発明は、浴室の側壁面を構成する壁パネルに設けられた開口部と、建築躯体に取り付けられた窓サッシと、を接続する浴室用窓接続枠であって、前記開口部に接続される開口部側端部と、前記窓サッシに接続される窓サッシ側端部と、を有する筒状の枠本体と、前記枠本体の前記開口部側端部に設けられ、前記開口部側端部から外方に向かって延び、前記開口部を隠蔽するフランジ部と、を備え、前記窓サッシは、上下左右のいずれか１つの方向において前記開口部よりも大きく、前記枠本体は、前記１つの方向において前記開口部側端部よりも外方に拡張された拡張部と、前記開口部側端部と前記拡張部との間に設けられ、前記開口部側端部よりも内方に凹んだ凹部と、を有し、前記拡張部は、前記窓サッシ側端部の一部を形成し、前記窓サッシ側端部は、前記１つの方向において前記開口部側端部よりも大きいことを特徴とする浴室用窓接続枠である。
【００１１】
この浴室用窓接続枠によれば、凹部を設けたことにより、凹部から窓サッシ側端部の凹部と反対側の部分までの距離を短くすることができる。これにより、枠本体を傾けて浴室側から拡張部を開口部内に挿入した後、凹部の部分を軸に枠本体を回転させて浴室用窓接続枠を取り付ける際に、窓サッシ側端部の凹部と反対側の部分が、開口部の周縁に当接してしまうことを抑制することができる。従って、窓サッシと壁パネルの開口部とに寸法差が生じた場合においても、浴室用窓接続枠を複数の部品などに分ける必要が無く、浴室及び窓サッシに取り付けられる形状のまま浴室側から容易に浴室用窓接続枠を開口部に挿入することができる。また、開口部やフランジ部が大きくなることを抑え、浴室の美観の低下も抑制することができる。
【００１２】
第２の発明は、第１の発明において、前記凹部は、前記拡張部に隣接する隣接面を有し、前記隣接面と前記拡張部とが接続されたコーナー部の角度は、略直角であることを特徴とする浴室用窓接続枠である。
【００１３】
この浴室用窓接続枠によれば、コーナー部を開口部の周縁に当接させ、コーナー部を軸に枠本体を回転させることにより、傾けた状態の枠本体を開口部の周縁に押し当てて力を加えた場合にも、枠本体の浴室側及び窓サッシ側へのずれを抑制し、枠本体を安定して回転させることができる。これにより、浴室用窓接続枠の取り付け時の施工作業性をより向上させることができる。
【００１４】
第３の発明は、浴室の側壁面を構成する壁パネルに設けられた開口部と、建築躯体に取り付けられた窓サッシと、を接続する浴室用窓接続枠の取付方法であって、前記浴室用窓接続枠は、前記開口部に接続される開口部側端部と、前記窓サッシに接続される窓サッシ側端部と、を有する筒状の枠本体と、前記枠本体の前記開口部側端部に設けられ、前記開口部側端部から外方に向かって延び、前記開口部を隠蔽するフランジ部と、を備え、前記窓サッシは、上下左右のいずれか１つの方向において前記開口部よりも大きく、前記枠本体は、前記１つの方向において前記開口部側端部よりも外方に拡張された拡張部と、前記開口部側端部と前記拡張部との間に設けられ、前記開口部側端部よりも内方に凹んだ凹部と、を有し、前記拡張部は、前記窓サッシ側端部の一部を形成し、前記窓サッシ側端部は、前記１つの方向において前記開口部側端部よりも大きく、前記枠本体を傾けた状態で、前記浴室側から前記拡張部のみを前記開口部内に挿入し、前記凹部を前記開口部の周縁に当接させ、当接させた部分を軸に前記枠本体を回転させることにより、前記窓サッシ側端部の全体を前記開口部内に挿入し、前記窓サッシ側端部を前記窓サッシに接続し、前記開口部側端部を前記開口部に接続することにより、前記浴室用窓接続枠を前記壁パネル及び前記窓サッシに取り付けることを特徴とする浴室用窓接続枠の取付方法である。
【００１５】
この浴室用窓接続枠の取付方法によれば、枠本体を傾けて浴室側から拡張部を開口部内に挿入した後、凹部の部分を軸に枠本体を回転させて浴室用窓接続枠を取り付ける際に、凹部を開口部の周縁に当接させ、当接させた部分を軸に枠本体を回転させることにより、枠本体を安定して回転させることができる。この際、凹部を設けたことにより、凹部から窓サッシ側端部の凹部と反対側の部分までの距離を短くすることができ、枠本体を回転させる際に、窓サッシ側端部の凹部と反対側の部分が、開口部の周縁に当接してしまうことを抑制することができる。さらには、凹部を開口部の周縁に当接させることにより、窓サッシ側端部の凹部と反対側の部分の位置を定めることができ、窓サッシ側端部の凹部と反対側の部分が、開口部の周縁に当接してしまうことをより抑制することができる。従って、窓サッシと壁パネルの開口部とに寸法差が生じた場合においても、浴室用窓接続枠を複数の部品などに分ける必要が無く、浴室及び窓サッシに取り付けられる形状のまま浴室側から容易に浴室用窓接続枠を開口部に挿入することができる。また、開口部やフランジ部が大きくなることを抑え、浴室の美観の低下も抑制することができる。
【００１６】
第４の発明は、第３の発明において、前記凹部は、前記拡張部に隣接する隣接面を有し、前記隣接面と前記拡張部とが接続されたコーナー部の角度は、略直角であり、前記コーナー部を前記開口部の周縁に当接させ、前記コーナー部を軸に前記枠本体を回転させることを特徴とする浴室用窓接続枠の取付方法である。
【００１７】
この浴室用窓接続枠の取付方法によれば、コーナー部を開口部の周縁に当接させ、コーナー部を軸に枠本体を回転させることにより、傾けた状態の枠本体を開口部の周縁に押し当てて力を加えた場合にも、枠本体の浴室側及び窓サッシ側へのずれを抑制し、枠本体を安定して回転させることができる。これにより、浴室用窓接続枠の取り付け時の施工作業性をより向上させることができる。
【発明の効果】
【００１８】
本発明の態様によれば、窓サッシと壁パネルの開口部とに寸法差が生じた場合においても、浴室の美観の低下を抑制しつつ、取り付けを容易に行うことができる浴室用窓接続枠及びその取付方法が提供される。
【図面の簡単な説明】
【００１９】
【図１】実施形態に係る浴室用窓接続枠を表す斜視図である。
【図２】実施形態に係る浴室用窓接続枠を表す分解斜視図である。
【図３】実施形態に係る浴室用窓接続枠の使用状態を表す縦断面図である。
【図４】実施形態に係る浴室用窓接続枠の使用状態を表す横断面図である。
【図５】図５（ａ）〜図５（ｃ）は、実施形態に係る浴室用窓接続枠の取付方法の概略を表す縦断面図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴室用窓接続枠を表す斜視図である。  
図２は、実施形態に係る浴室用窓接続枠を表す分解斜視図である。  
図３は、実施形態に係る浴室用窓接続枠の使用状態を表す縦断面図である。  
図４は、実施形態に係る浴室用窓接続枠の使用状態を表す横断面図である。  
図１〜４に表したように、浴室用窓接続枠１０は、枠本体１２と、フランジ部１４と、を備える。浴室用窓接続枠１０は、浴室２の側壁面２ａを構成する壁パネル４に設けられた開口部４ａと、建築躯体６に取り付けられた窓サッシ８と、を接続する。これにより、浴室用窓接続枠１０は、浴室２と窓サッシ８との間の隙間を塞ぐ。浴室用窓接続枠１０は、例えば、出窓を形成する。
【００２１】
枠本体１２は、開口部４ａに接続される開口部側端部１２ａと、窓サッシ８に接続される窓サッシ側端部１２ｂと、を有する筒状である。窓サッシ８は、上端と下端と一対の側端とを有する略矩形状である。窓サッシ８は、上端及び下端が略水平に延び、一対の側端が略垂直に延びるように、建築躯体６に取り付けられる。開口部４ａは、窓サッシ８の形状に対応した略矩形状である。開口部４ａは、窓サッシ８と同様に、略水平に延びる上端及び下端と、略垂直に延びる一対の側端と、を有する。開口部側端部１２ａは、開口部４ａの形状に対応した略矩形状である。窓サッシ側端部１２ｂは、窓サッシ８の形状に対応した略矩形状である。枠本体１２は、略四角筒状である。
【００２２】
開口部側端部１２ａの外側の形状は、開口部４ａの形状と実質的に同じである。開口部側端部１２ａは、開口部４ａの内側に嵌る。これにより、枠本体１２は、開口部側端部１２ａを介して開口部４ａに接続される。
【００２３】
窓サッシ側端部１２ｂの内側の形状は、窓サッシ８の浴室２側の端部の形状と実質的に同じである。窓サッシ側端部１２ｂは、窓サッシ８の浴室２側の端部の外側に嵌る。これにより、枠本体１２は、窓サッシ側端部１２ｂを介して窓サッシ８に接続される。
【００２４】
フランジ部１４は、枠本体１２の開口部側端部１２ａに設けられ、開口部側端部１２ａから外方に向かって延びる。フランジ部１４は、開口部側端部１２ａの周縁に沿って延びる。フランジ部１４は、例えば、開口部側端部１２ａを囲む環状である。フランジ部１４は、枠本体１２が開口部４ａに接続された状態において、開口部４ａを隠蔽する。換言すれば、フランジ部１４は、枠本体１２が開口部４ａに接続された状態において、壁パネル４と枠本体１２との間に空く隙間を隠蔽する。
【００２５】
フランジ部１４の幅Ｗ１は、例えば、３０ｍｍ程度（２０ｍｍ以上４０ｍｍ以下）である。これにより、例えば、フランジ部１４による浴室２の美観の低下を抑制することができる。
【００２６】
図３及び図４に表したように、この例において、窓サッシ８は、上方向において開口部４ａよりも大きい。開口部４ａから窓サッシ８に向かう方向に見た状態において、窓サッシ８の下端の位置は、開口部４ａの下端の位置と実質的に同じである。窓サッシ８の両側端の位置は、開口部４ａの下端の位置と実質的に同じである。これに対し、窓サッシ８の上端は、開口部４ａの上端よりも上方に位置する。
【００２７】
枠本体１２は、拡張部２０と、凹部２２と、を有する。拡張部２０は、上方向において開口部側端部１２ａよりも外方に拡張されている。換言すれば、拡張部２０は、枠本体１２において、開口部側端部１２ａよりも上方に延びた部分である。凹部２２は、開口部側端部１２ａと拡張部２０との間に設けられ、開口部側端部１２ａよりも内方に凹んでいる。この例において、凹部２２は、開口部側端部１２ａの上端よりも下方に凹んでいる。
【００２８】
拡張部２０は、窓サッシ側端部１２ｂの一部を形成する。窓サッシ側端部１２ｂは、上方向において開口部側端部１２ａよりも大きい。窓サッシ側端部１２ｂは、拡張部２０の突出量の分だけ開口部側端部１２ａよりも大きい。窓サッシ側端部１２ｂの上端は、開口部側端部１２ａの上端よりも上方に位置する。換言すれば、窓サッシ側端部１２ｂは、開口部側端部１２ａよりも上方向に拡張された拡張部を有する。窓サッシ側端部１２ｂは、開口部側端部１２ａよりも上方向に延びている。前述のように、開口部側端部１２ａは、開口部４ａに嵌る。そして、窓サッシ側端部１２ｂは、開口部４ａよりも大きい窓サッシ８に嵌る。従って、窓サッシ側端部１２ｂは、拡張部２０により、開口部側端部１２ａよりも大きく形成される。
【００２９】
凹部２２は、拡張部２０に隣接する隣接面２２ａを有する。隣接面２２ａは、拡張部２０に接続されており、隣接面２２ａと拡張部２０とによってコーナー部２２ｂが形成されている隣接面２２ａと拡張部２０とが接続されたコーナー部２２ｂの角度は、略直角である。コーナー部２２ｂの角度は、例えば、８５°以上９５°以下である。
【００３０】
浴室用窓接続枠１０は、上板部３１と、下板部３２と、一対の側板部３３、３４と、を有する。また、上板部３１は、第１板部４１と、第２板部４２と、第３板部４３と、を有する。第１板部４１は、前後方向（開口部４ａから窓サッシ８に向かう方向）及び左右方向に延びる平板状である。第２板部４２は、上下方向及び左右方向に延びる平板状である。第３板部４３は、前後方向及び左右方向に延びる平板状である。下板部３２は、前後方向及び左右方向に延びる平板状である。各側板部３３、３４は、前後方向及び上下方向に延びる平板状である。
【００３１】
各板部３１〜３４は、例えば、ネジ止めなどによって互いに組み合わせられる。これにより、各板部３１〜３４によって略四角筒状の枠本体１２が形成される。また、この例では、上板部３１が３つの板部４１〜４３で形成される。第１板部４１は、第２板部４２の下端に接続される。第３板部４３は、第２板部４２の上端に接続される。すなわち、各板部４１〜４３は、クランク状に屈曲して組み合わせられる。
【００３２】
第１板部４１は、開口部側端部１２ａの上端、及び凹部２２を形成する。第２板部４２及び第３板部４３は、拡張部２０を形成する。また、第３板部４３は、窓サッシ側端部１２ｂの上端を形成する。
【００３３】
このように、３つの板部４１〜４３を組み合わせて上板部３１を形成する。これにより、例えば、簡単な構成で拡張部２０及び凹部２２を形成することができる。拡張部２０及び凹部２２を容易に形成することができる。また、この例では、第１板部４１と第２板部４２との接続点が、コーナー部２２ｂとなる。これにより、例えば、コーナー部２２ｂを略直角に形成し易くすることができる。
【００３４】
第１板部４１の開口部４ａ側の端部には、略直角に屈曲した屈曲部４１ａが設けられている。下板部３２の開口部４ａ側の端部には、略直角に屈曲した屈曲部３２ａが設けられている。下板部３３の開口部４ａ側の端部には、略直角に屈曲した屈曲部３３ａが設けられている。下板部３４の開口部４ａ側の端部には、略直角に屈曲した屈曲部３４ａが設けられている。
【００３５】
各屈曲部３２ａ〜３４ａ、４１ａは、各板部３１〜３４を組み合わせた際に、開口部側端部１２ａを環状に囲む。すなわち、フランジ部１４は、各屈曲部３２ａ〜３４ａ、４１ａによって形成される。
【００３６】
図５（ａ）〜図５（ｃ）は、実施形態に係る浴室用窓接続枠の取付方法の概略を表す縦断面図である。  
浴室用窓接続枠１０の取り付けにおいては、まず建築躯体６に窓サッシ８を取り付けるとともに、浴室２内に壁パネル４を設けた後、窓サッシ８の位置に合わせて壁パネル４に開口部４ａを形成する。開口部４ａの形成においては、開口部４ａの下端の位置を窓サッシ８の下端の位置に合わせるとともに、開口部４ａの両側端の位置を窓サッシ８の両側端の位置に合わせる。そして、下端の位置から所定の距離の位置に、開口部４ａを設定する。
【００３７】
開口部４ａから窓サッシ８までの距離は、建築躯体６の構造などにより、施工現場によって変化する可能性が有る。従って、開口部４ａを形成した後、開口部４ａから窓サッシ８までの距離を採寸し、浴室用窓接続枠１０の窓サッシ側端部１２ｂ側を必要に応じて切断することにより、開口部側端部１２ａから窓サッシ側端部１２ｂまでの長さを施工現場に合わせて調整する。
【００３８】
浴室用窓接続枠１０の枠本体１２の長さを調整した後、図５（ａ）に表したように、枠本体１２を傾けた状態で、浴室２側から拡張部２０のみを開口部４ａ内に挿入し、凹部２２を開口部４ａの周縁に当接させる。例えば、凹部２２のコーナー部２２ｂを開口部４ａの周縁に当接させる。
【００３９】
図５（ａ）及び図５（ｂ）に表したように、凹部２２を開口部４ａの周縁に当接させた後、当接させた部分を軸に枠本体１２を回転させることにより、窓サッシ側端部１２ｂの全体を開口部４ａ内に挿入する。
【００４０】
図５（ｃ）に表したように、枠本体１２を窓サッシ８側にさらに移動させ、窓サッシ側端部１２ｂを窓サッシ８に接続し、開口部側端部１２ａを開口部４ａに接続する。この後、例えば、枠本体１２の窓サッシ側端部１２ｂの周縁を建築躯体６及び窓サッシ８にネジ止めし、フランジ部１４を壁パネル４にネジ止めする。これにより、浴室用窓接続枠１０が、壁パネル４及び窓サッシ８に取り付けられる。
【００４１】
図３に表したように、例えば、窓サッシ８の上端が、浴室２の天井面２ｂに近い場合に、窓サッシ８の外形と実質的に同じ形状の開口部４ａを形成してしまうと、壁パネル２の開口部４ａの上端から天井面２ｂまでの残りの寸法ＲＤが短くなってしまう。このため、上記の場合には、壁パネル４などの強度の確保のため、開口部４ａの上端の位置を窓サッシ８の上端の位置よりも下方に下げる必要が生じる。このように、開口部４ａと窓サッシ８とに寸法差が生じると、窓接続枠を開口部４ａ内に挿入することが難しくなってしまう。また、窓接続枠を挿入し易くするために、開口部４ａを大き目に形成した場合には、浴室２の美観の低下を招いてしまう。
【００４２】
これに対して、本実施形態に係る浴室用窓接続枠１０によれば、凹部２２を設けたことにより、凹部２２が無い場合に比べて、凹部２２から窓サッシ側端部１２ｂの凹部２２と反対側の部分までの距離ｄ１を短くすることができる。この例において、距離ｄ１は、例えば、コーナー部２２ｂから窓サッシ側端部１２ｂの下端までの距離である。
【００４３】
これにより、枠本体１２を傾けて浴室２側から拡張部２０を開口部４ａ内に挿入した後、凹部２２の部分を軸に枠本体１２を回転させて浴室用窓接続枠１０を取り付ける際に、窓サッシ側端部１２ｂの凹部２２と反対側の部分が、開口部４ａの周縁に当接してしまうことを抑制することができる。従って、窓サッシ８と壁パネル４の開口部４ａとに寸法差が生じた場合においても、浴室用窓接続枠１０を各板部３１〜３４などの複数の部品に分ける必要が無く、浴室２及び窓サッシ８に取り付けられる形状のまま浴室２側から容易に浴室用窓接続枠１０を開口部４ａ内に挿入することができる。また、開口部４ａやフランジ部１４が大きくなることを抑え、浴室２の美観の低下も抑制することができる。
【００４４】
距離ｄ１は、例えば、開口部４ａの長さｄ２に対して−５ｍｍ程度に設定される。距離ｄ１と長さｄ２との差（ｄ２−ｄ１）は、例えば、２ｍｍ以上１０ｍｍ以下である。これにより、開口部４ａやフランジ部１４が大きくなることを抑えることができる。例えば、フランジ部１４の幅Ｗ１を３０ｍｍ程度（２０ｍｍ以上４０ｍｍ以下）に設定することが可能になる。凹部２２の深さ（開口部側端部１２ａからの距離）は、例えば、距離ｄ１に応じて設定される。凹部２２の深さは、例えば、２５ｍｍ程度（１５ｍｍ以上３５ｍｍ以下）である。
【００４５】
また、本実施形態に係る浴室用窓接続枠１０の取付方法によれば、凹部２２を開口部４ａの周縁に当接させ、当接させた部分を軸に枠本体１２を回転させることにより、枠本体１２を安定して回転させることができる。さらには、凹部２２を開口部４ａの周縁に当接させることにより、窓サッシ側端部１２ｂの凹部２２と反対側の部分の位置を定めることができ、窓サッシ側端部１２ｂの凹部２２と反対側の部分が、開口部４ａの周縁に当接してしまうことをより抑制することができる。
【００４６】
また、略直角の角度を有するコーナー部２２ｂを凹部２２に設け、コーナー部２２ｂを開口部４ａの周縁に当接させ、コーナー部２２ｂを軸に枠本体１２を回転させる。これにより、傾けた状態の枠本体１２を開口部４ａの周縁に押し当てて力を加えた場合にも、枠本体１２の浴室２側及び窓サッシ８側へのずれを抑制し、枠本体１２を安定して回転させることができる。これにより、例えば、浴室用窓接続枠１０の取り付け時の施工作業性をより向上させることができる。
【００４７】
上記実施形態では、窓サッシ８が、上方向において開口部４ａよりも大きくした例を示している。窓サッシ８の延びる方向は、上方向に限ることなく、上下左右のいずれか１つの方向でよい。拡張部２０は、窓サッシ８の延びる方向において開口部側端部１２ａよりも外方に拡張すればよい。凹部２２は、開口部側端部１２ａと拡張部２０との間に設け、開口部側端部１２ａよりも内方に凹んでいればよい。
【００４８】
例えば、窓サッシ８の右側端が、浴室２の右側の側壁面に近い場合には、天井面の場合と同様に、強度の確保のため、開口部４ａの右側端の位置を窓サッシ８の右側端の位置よりも左側に配置する必要が生じる。同様に、窓サッシ８の左側端が、浴室２の左側の側壁面に近い場合には、開口部４ａの左側端の位置を窓サッシ８の左側端の位置よりも右側に配置する必要が生じる。また、窓サッシ８の下端が、浴槽や水栓器具などの上端に近い場合には、開口部４ａの下端の位置を窓サッシ８の下端の位置よりも上方に配置する必要が生じる。
【００４９】
このように、本実施形態に係る浴室用窓接続枠１０は、窓サッシ８が、上下左右のいずれか１つの方向のみにおいて開口部４ａよりも大きい場合に適用可能である。
【００５０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用窓接続枠１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５１】
２ 浴室、  ４ 壁パネル、  ４ａ 開口部、  ６ 建築躯体、  ８ 窓サッシ、  １０ 浴室用窓接続枠、  １２ 枠本体、  １２ａ 開口部側端部、  １２ｂ 窓サッシ側端部、  １４ フランジ部、  ２０ 拡張部、  ２２ 凹部、  ２２ａ 隣接面、  ２２ｂ コーナー部、  ３１ 上板部、  ３２ 下板部、  ３３、３４ 側板部、  ４１ 第１板部、  ４２ 第２板部、  ４３ 第３板部
【図１】
2017160603.tif 000003
【図２】
2017160603.tif 000004
【図３】
2017160603.tif 000005
【図４】
2017160603.tif 000006
【図５】
2017160603.tif 000007